(57)【要約】【課題】少なくとも大・中・小のサイズの異なる物品の大きさに対応して、各物品の下端面をそれぞれ安定的に支持することができる梱包用緩衝具を提供すること。【解決手段】外壁の折り返し部分に相当する上端部４が平面視矩形状に形成され、該上端部を基準とする内壁側が物品の下端部を受け入れる受入凹所７であると共に該受入凹所の内壁に物品の下端面を支持する支持部８が突出形成されている梱包用緩衝具であって、受入凹所７の底壁部分に相当する中央部９に左右・前後の補強リブ１０、１１を突壁状に形成し、支持部８は、下端側が前記補強用リブに連設し、一方、上端側が受入凹所を形成する上端部に連設し、かつ少なくとも大・中・小のサイズの異なる物品の大きさに対応して、各物品の下端面をそれぞれ支持することができるように階段状に形成されている。【選択図】図３
0003168347.tif 000002
【実用新案登録請求の範囲】
【請求項１】
左右・前後の外壁の折り返し部分に相当する上端部が平面視矩形状に形成され、該上端部を基準とする内壁側が物品の下端部を受け入れる受入凹所であると共に、該受入凹所の内壁に前記物品の下端面を支持する支持部が突出形成されている梱包用緩衝具であって、前記受入凹所の底壁部分に相当する中央部に左右・前後の補強リブを突壁状に形成し、前記支持部は、下端側が前記補強用リブに連設し、一方、上端側が前記受入凹所を形成する前記上端部に連設し、かつ少なくとも大・中・小のサイズの異なる物品の大きさに対応して、各物品の下端面をそれぞれ支持することができるように階段状に形成されている梱包用緩衝具。
【請求項２】
請求項１に於いて、支持部が、該受入凹所の四つ角部分又は左右・前後の各中央部のいずれかに合計４箇所形成され、各支持部の間には、物品の下端面に設けられた４本の支持脚が嵌合或いは遊嵌合する収納凹所が形成されていることを特徴とする梱包用緩衝具。
【請求項３】
請求項１に於いて、支持部の各階段部分の水平受面は、平面視、二辺が直交することを特徴とする梱包用緩衝具。
【請求項４】
請求項１に於いて、梱包用緩衝具の長手方向に相当する左右の支持部の間には、下端側が補強用リブに、一方、上端側が受入凹所を形成する前記上端部にそれぞれ連設する第２補強リブが突壁状に形成され、該第２の補強リブの傾斜面も、少なくとも大・中・小のサイズの異なる物品の大きさに対応して、各物品の下端面をそれぞれ支持することができるように階段状に形成されていることを特徴とする梱包用緩衝具。
【請求項５】
請求項１に於いて、左右・前後の外壁は、上端部から下端部に至るにしたがって次第に末広状に外拡し、かつ各外壁の内側には空隙部分が存在することを特徴とする梱包用緩衝具。
【請求項６】
請求項１に於いて、梱包用緩衝具には、該梱包用緩衝具を収納する梱包箱が加味され、該梱包箱に１個の梱包用緩衝具を収納した際には、その左右・前後の外壁の外拡下端部が、梱包箱の側壁の内壁に弾接することを特徴とする梱包用緩衝具。
【考案の詳細な説明】
【技術分野】
【０００１】
本考案は梱包用緩衝具に関し、特に、支持される面（例えば底面）が矩形状のスピーカ、アンプ、プリンタ、テレビ、複数の支持脚を有する支持台等の製品（以下、「物品」という。）を支持する際に、四角い梱包箱に梱包用緩衝具を入れた状態で物品を梱包することができる梱包用緩衝具に関する。この梱包用緩衝具を物品の下端部と上端部にそれぞれ配置することにより、運搬・保管中に外部から加わる衝撃を緩衝して物品を保護することができる。
【背景技術】
【０００２】
特許文献１の梱包用緩衝体は、梱包箱内で被梱包物の周りに複数個配設されて前記被梱包物に加わる外部衝撃を緩衝して保護する、パルプモールド成型法によりパルプ系材料から型を用いて形成される梱包用緩衝具である。この梱包用緩衝具は、該特許文献１の、例えば図１及び図３に示されているように、物品の下端部を受け入れる受入凹所４の内壁底面に長手方向に所定間隔を有して複数個（合計４個）の支持部６が突出形成され、これらの支持部６は、内部に空隙部５を有する階段状に形成されている（符号は特許文献１のもの）。この特許文献１の支持部６に形成され複数の段差状（階段部）は、それぞれ型抜き方向に表裏面に設けられているので、成形性に優れることに加え、復元力をより増大し易くなるという利点があるものの、該梱包用緩衝体は、前記支持部６の段差部分で物品を支持するものではなく、あくまでも、各支持部６の上面で物品の下面を支持するものであるから、サイズの異なる物品の大きさに対応して、各物品の下端面をそれぞれ安定的（動かないように）支持することができるができないという問題点があった。
【０００３】
付言すると、特許文献１の梱包用緩衝体は、受入凹所４の内壁底面の支持部６及び内壁側面で支持することができる特定の物品のみが梱包対象であった。そのために、サイズの異なる物品を梱包対象とする場合には、数個あるいは多数のパルプ成形用の型を製作する必要があった（問題点１）。
【０００４】
また、特許文献１の梱包用緩衝体は、左右・前後の外壁の折り返し部分に相当する上端部が平面視矩形状に形成された箱形状ではないので、梱包時、左右或いは前後に一対の梱包用緩衝体を梱包箱（収納箱）内にそれぞれ組み込む必要があった（問題点２）。さらに、特許文献１は、被梱包物としての支持される物品が、水平板或いは水平台の下面に４本の支持脚を有する物である場合には、梱包することができなかった（問題点３）。
【０００５】
特許文献２の包装緩衝装置及び物品の梱包構造も、本考案と同一の技術分野である。この特許文献２の物品の梱包構造は、「物品の部分を受け入れる受入凹部２０（４０）と、前記受入凹部において、前記受入凹部内に受け入れられる物品から離れるよう前記受入凹部の外方側に突出し、包装箱２００に収納された際には該包装箱の内壁面に当接する階段状凸部２２（４４）とを有し、物品（スピーカ）１と共に包装箱２００に収納された際には、外部からの荷重負荷を前記凸部の変形によって緩衝する構造（符号は特許文献１のもの）」である。
【０００６】
この特許文献２の前記階段状凸部は、他の部分よりも荷重負荷が作用したときの当該階段状凸部の変形を促進させることにより、物品を保護することを目的とすることから、特許文献１と発明・考案の課題は同一である。
【０００７】
しかしながら、該特許文献２も特許文献１と同様に特定の大きさの物品（スピーカ）１のみを梱包対象とするものであり、特許文献１の前述した問題点１乃至３を有していた。
【先行技術文献】
【特許文献】
【０００８】
【特許文献１】特開２００１−１９０５０号公報
【特許文献２】特開２００４−１８０４号公報
【考案の概要】
【考案が解決しようとする課題】
【０００９】
本考案が解決しようとする所期の課題は、少なくとも大・中・小のサイズの異なる物品の大きさに対応して、各物品の下端面をそれぞれ安定的に支持することができる梱包用緩衝具を提供することである。第２の目的は、被梱包物としての支持される物品が、水平板或いは水平台の下面に４本の支持脚を有する物（完成品）であっても、これらの支持脚を収納凹所に受け入れることができると共に、該支持脚を有する物品を支持部の段差状の受け面でもって安定的に支持することができることある。第３の目的は、形態保持力が高いことである。第４の目的は、外部から加わる衝撃を吸収し、被梱包物としての物品をより安全に保護することができることである。その他、梱包以外の時に梱包用緩衝具を上下方向に積み重ねることができることである。
【課題を解決するための手段】
【００１０】
本考案の梱包用緩衝具は、左右・前後の外壁の折り返し部分に相当する上端部が平面視矩形状に形成され、該上端部を基準とする内壁側が物品の下端部を受け入れる受入凹所であると共に、該受入凹所の内壁に前記物品の下端面を支持する支持部が突出形成されている梱包用緩衝具であって、前記受入凹所の底壁部分に相当する中央部に左右・前後の補強リブを突壁状に形成し、前記支持部は、下端側が前記補強用リブに連設し、一方、上端側が前記受入凹所を形成する前記上端部に連設し、かつ少なくとも大・中・小のサイズの異なる物品の大きさに対応して、各物品の下端面をそれぞれ支持することができるように階段状に形成されている。
【００１１】
上記構成に於いて、支持部の各階段部分の水平受面は、平面視、二辺が直交するＬ字形状であることを特徴とする。また、支持部が、該受入凹所の四つ角部分又は左右・前後の各中央部のいずれかに合計４箇所形成され、各支持部の間には、物品の下端面に設けられた４本の支持脚が嵌合或いは遊嵌合する収納凹所が形成されていることを特徴とする。また、梱包用緩衝具の長手方向に相当する左右の支持部の間には、下端側が補強用リブに、一方、上端側が受入凹所を形成する前記上端部にそれぞれ連設する第２補強リブが突壁状に形成され、該第２の補強リブの傾斜面にも、少なくとも大・中・小のサイズの異なる物品の大きさに対応して、各物品の下端面をそれぞれ支持することができるように階段状に形成されていることを特徴とする。さらに、左右・前後の外壁は、上端部から下端部に至るにしたがって次第に末広状に外拡し、かつ各外壁の内側には、他の梱包用緩衝具をスタッキグすることができる空隙部分が存在することを特徴とする。加えて、梱包用緩衝具には、該梱包用緩衝具を収納する梱包箱が加味され、該梱包箱に梱包用緩衝具を収納した際には、左右・前後の外壁の外拡下端部が、梱包箱の側壁の内壁に弾接することを特徴とする。
【考案の効果】
【００１２】
（ａ）請求項１に記載の考案は、支持部が少なくとも大・中・小のサイズの異なる物品の大きさに対応して、各物品の下端面をそれぞれ支持することができるように階段状に形成されているので、被梱包物としての支持される物品の大きさに対応して、数個あるいは多数のパルプ成形用の型を製作する必要がない。付言すると、一つの梱包用緩衝具でもって、少なくとも大・中・小のサイズの異なる物品（例えば大・中・小のスピーカ）のいずれかを支持することができる。
（ｂ）請求項２に記載の考案は、支持部が、該受入凹所の四つ角部分又は左右・前後の各中央部のいずれかに合計４箇所形成され、各支持部の間には、物品の下端面に設けられた４本の支持脚が嵌合或いは遊嵌合する収納凹所が少なくとも形成されているので、例えば大・中・小のサイズの異なるスピーカ用支持台も、支持部の各階段部分の水平受面を利用しながら安定的に支持することができる。また、支持台としての物品２１に、予め支持脚２２を取り付け、「完成品」としての物品２１を梱包することができる。
（ｃ）請求項３に記載の考案は、支持部の各階段部分の水平受面は、平面視二辺が直交するので、物品をより安定的に支持することができる。
（ｄ）請求項４に記載の考案は、梱包用緩衝具の長手方向に相当する左右の支持部の間には、下端側が補強用リブに連設する第２補強リブが突壁状に形成され、該第２の補強リブの傾斜面にも、少なくとも大・中・小のサイズの異なる物品の大きさに対応して、各物品の下端面をそれぞれ支持することができるように階段状に形成されているので、形態保持力が高いのみならず、さらに物品を安定状態に支持することができる。
（ｅ）請求項５及び請求項６に記載の考案は、左右・前後の外壁は、上端部から下端部に至るにしたがって次第に末広状に外拡しているので、該梱包用緩衝具を収納する梱包箱が加味された実施形態の場合には、クッション性を活かして状態で物品を確実に梱包することができる。また、他の梱包用緩衝具をスタッキングすることができる。
【図面の簡単な説明】
【００１３】
図１乃至図１３は本考案の実施形態の一例を示す各説明図。
【図１】梱包箱に梱包用緩衝具を収納した状態の斜視図。
【図２】梱包箱から梱包用緩衝具を取り出した状態の斜視図。
【図３】平面図。
【図４】底面図。
【図５】要部の斜視図。
【図６】要部の概略断面説明図。
【図７】図３の７−７線断面図。
【図８】図３の８−８線断面図。
【図９】（ａ）、（ｂ）、（ｃ）は、大・中・小のサイズの異なる物品の大きさに対応して各物品の下端面をそれぞれ支持した状態の説明図。
【図１０】梱包用緩衝具を使用した梱包例を示す斜視図。
【図１１】梱包用緩衝具を使用した梱包例を示す概略断面説明図。
【図１２】支持脚を有する物品（例えばスピーカ用支持台）の斜視図。
【図１３】（ａ）、（ｂ）、（ｃ）は、梱包用緩衝具に水平台の下面に複数本の支持脚を有する大・中・小のサイズの異なる物品の下端面をそれぞれ支持した状態の説明図。
【図１４】本考案の第２実施形態を示す説明図。
【考案を実施するための形態】
【００１４】
以下、本考案の実施の形態について図面に基づいて詳細に説明する。但し、この形態例は、本考案の好適な具体例であり技術的に好ましい種々の限定が付されているが、本考案の技術的範囲を制約するとものではない。
【００１５】
本考案の形態例として、図１は上端開口の四角い梱包箱Ｘに四角型の梱包用緩衝具Ｙを収納した状態の斜視図、図２は梱包箱Ｘから梱包用緩衝具Ｙを取り出した状態の斜視図である。これらの梱包箱Ｘと梱包用緩衝具Ｙは、物品１を梱包する際には、図１０及び図１１で示すように、例えば図１で示した下方の梱包箱Ｘ・梱包用緩衝具Ｙでもって当該物品の下端部を梱包状態に支持し、一方、上方の梱包箱Ｘ・梱包用緩衝具Ｙでもって当該物品の上端部を被せた状態で支持し、適当な紐やバンド類Ｚを用いて縛り付ける。
【００１６】
なお、図１０及び図１１は、パルプモールド成型法により作製した上下の梱包用緩衝具Ｙ、Ｙを間に配してスピーカを梱包した一例を示しているが、本考案の形態例は、図１３で示すように、例えば梱包用緩衝具Ｙに下部水平台２１ａの下面に複数本（４本）の支持脚２２を有する大・中・小のサイズの異なる支持台としての物品２１の下端面をそれぞれ支持することもできる。
【００１７】
図１乃至図１３に於いて、まず、Ｘは梱包箱としての段ボール箱、Ｙはパルプモールド成型法により形成された梱包用緩衝具、１は物品（被梱包物）の一例としての箱型スピーカである。箱型スピーカは、大・中・小のサイズが異なる物が、少なくとも３個存在する。
【００１８】
次に、梱包用緩衝具Ｙの具体的構成を説明する。平面図の図３を基準にすると、符号の２、２は左右の外壁、符号の３、３は前後の外壁である。本考案の形態例の左右の外壁２、２は前後の外壁３、３よりも短い。４は左右・前後の外壁の折り返し部分に相当する上端部で、該上端部が平面視矩形状（例えば長四角）に形成されている。
【００１９】
左右の外壁２、２及びこれらに直交する左右・前後の外壁３、３は、一連に繋がっており、しかも、前記上端部４から下端部５に至るにしたがって次第に末広状に外拡している（図４参照）。矩形状に連続する外壁２、２、３、３の内側には、他の梱包用緩衝具をスタッキングすることができる空隙部分６が存在する。この空隙部分６は、図４で示すように、矩形状に連続する外壁２、２、３、３の内壁面と受入凹所７を形成する凹凸の外壁面（底面から見える壁面）の間に形成された空間である。
【００２０】
ここで平面図の図３を参照にすると、矩形状に連続する上端部４の内壁側が物品１の下端部を受け入れる受入凹所である。この受入凹所７の中に、物品１の下端面１ａを支持する複数の支持部８が突出形成されている。受入凹所７の底壁部分に相当する中央部９に左右の補強リブ１０、１０と前後の補強リブ１１、１１がそれぞれ突壁状に形成されている。これらの左右・前後の補強リブ１０、１０、１１、１１は、平面視、矩形状に繋がっている。
【００２１】
そして、実施形態では、左右・前後の補強リブ１０、１０、１１、１１の各中央部には、図１３の（ｃ）で示すように、梱包対象の物品が、サイズが最も小さい支持台としての物品２１であって、しかもその下部水平台２１ａの下面に複数本（４本）の支持脚２２を有する場合には、これらの支持脚２２が接触状態に嵌合する或いは非接触状態に遊嵌合する切欠状の小凹所１２がそれぞれ形成されている。
【００２２】
実施形態では、前記支持部８は、合計４つ存在し、これらの４つの支持部８は、例えば図１、図２、図３で示すように、受入凹所７の四隅にそれぞれ設けられ、各支持部８、８、８、８は、下端側が前述した補強用リブ１０、１０、１１、１１の四つの角部分にそれぞれ連設し、一方、上端側が前記受入凹所を形成する矩形状上端部４の四つの角部分にそれぞれ連設している。しかも、これらの支持部８、８、８、８は、少なくとも大Ａ・中Ｂ・小Ｃのサイズの異なる物品１（２１）の大きさに対応して、各物品の下端面をそれぞれ支持することができるように階段状に形成されている。
【００２３】
また実施形態では、各支持部の各階段部分の水平受面８ａは、平面視、二辺が直交する略Ｌ字形状である。また水平受面８ａの長さは、上方が最も長く、下方に至るにしたがって次第に短くなっている。さらに、各支持部の階段部分（水平受面８ａの数）は合計６段であり、しかも実施形態では、左右・前後の補強リブ１０、１０、１１、１１の突出上端面も水平受面の機能を有している。したがって、実施形態では、左右・前後の補強リブ１０、１０、１１、１１の突出上端面が、最もサイズが小さい物品１の下端面１Ａを支持することができる。
【００２４】
また図２の斜視図を参照にすると、４つの各支持部の間には、第２の補強リブ１６を有して、又は有さないで、物品が、例えば図１２で示すスピーカ用支持台２１である場合には、その下部水平台２１ａの下端面に設けられた４本の支持脚２２が嵌合或いは遊嵌合する収納凹所１５が形成されている。
【００２５】
ここで、図１２を参照にして、スピーカ、アンプ、テレビ等の支持台として用いられる支持台２１の構成を簡単に説明する。符号２１ａは下部水平台、２１ｂは下部水平台の上面中央部に固定的に立設された支柱、２１ｃは支柱の上端部に固定されかつ前記下部水平台と対向する上部水平台であり、前記下部水平台２１ａの下面の左右・前後の略中央部に合計４本の支持脚２２が一体的に設けられている。
【００２６】
また図２の斜視図又は図７の断面図を参照にすると、左右の階段状支持部８、８の間には、補強用リブの方向に第２の補強リブ１６が複数個（例えば２個）突壁状に形成され、各第２の補強リブ１６、１６の傾斜面にも物品の下端面を支持することができるように階段状に形成されている。
【００２７】
このように、実施形態では、形態保持力を高めるために、梱包用緩衝具Ｙの長手方向に相当する左右の支持部８、８の間には、下端側が補強用リブ１０、１０、１１、１１に、一方、上端側が受入凹所７を形成する上端部４にそれぞれ連設する第２補強リブ１６が突壁状に形成され、該第２の補強リブ１６の傾斜面も、少なくとも大Ａ・中Ｂ・小Ｃのサイズの異なる物品１（２１）の大きさに対応して、各物品（Ａ、Ｂ、Ｃ）の下端面をそれぞれ支持することができるように階段状に形成されている。
【００２８】
さらに、実施形態では、梱包用緩衝具Ｙには、該梱包用緩衝具を収納する梱包箱Ｘが加味され、該梱包箱Ｘに梱包用緩衝具Ｙを収納した際には、左右・前後の外壁２、２、３、３の外拡下端部５は、梱包箱Ｘの側壁の内壁に弾接する。
【００２９】
図９の（ａ）、（ｂ）、（ｃ）は、大Ａ・中Ｂ・小Ｃのサイズの異なる物品１の大きさに対応して各物品の下端面１ａをそれぞれ支持した状態の説明図である。この図９では、便宜上、梱包用緩衝具Ｙを下方に設置する場合を示しているが、もちろん、図１１で示すように、梱包用緩衝具Ｙを上方に配設し、例えば複数本の支持脚を有しない箱型のスピーカの上端部に被せるように用いても良い。梱包の仕方は割愛するが、梱包時、図１で示すように、梱包用緩衝具Ｙを上端開口の梱包箱Ｘに入れた状態で箱型物品（１、２１）の下端部と上端部の両方をサンドイッチ状態に包む。
【００３０】
図１３の（ａ）、（ｂ）、（ｃ）は、サイズの異なる物品２１、しかも、これらの物品２１は、図１２で示した支持脚２２を有する大Ａ・中Ｂ・小Ｃの支持台としての物品２１を梱包箱Ｘ内の梱包用緩衝具Ｙの複数の支持部８で支持する場合を示す。
【００３１】
この場合、支持台としての物品２１の支持脚２２は、受入凹所７内には、少なくとも４つの収納凹所１５が存在するので、物品２１の支持脚２２が障害にならないように、大Ａ・中Ｂ・小Ｃの物品２１をそれぞれ受入凹所７内に受け入れることができる。したがって、支持台としての物品２１に、予め支持脚２２を取り付け、「完成品」としての物品２１を梱包することができる。
【実施例】
【００３２】
実施形態の梱包用緩衝具Ｙは、物品の下端部を受け入れる受入凹所７を有し、該受入凹所７は物品の下端面を支持する階段状の支持部８を有する旨を説明したが、該梱包用緩衝具Ｙは、図１０で示したように、梱包時、物品の下端部に被せることもできる。
【００３３】
したがって、梱包用緩衝具Ｙは、物品の上端部を受け入れる受入凹所７を有し、該受入凹所７は物品の上端面を支持する階段状の支持部８を有することに成る。要するに、物品の下方及び上方の両方に配置しても、また、物品の下方又は上方のいずれか一方に配置しても良い。
【００３４】
また図１４は、本考案の第２実施形態を示す平面図である。この第２実施形態の梱包用緩衝具Ｙ１は、（イ）合計４個の支持部８が、該受入凹所７の四つ角部分にではなく、左右・前後の各中央部のそれぞれ形成されている点、（ロ）該受入凹所７の四つ角部分に、物品の下端面に設けられた４本の支持脚が嵌合或いは遊嵌合する収納凹所１５が形成されている点、（ハ）第２の補強リブが存在しない点、である。このように構成しても、少なくとも本考案の所期の目的と第２の目的を達成することができる。
【産業上の利用可能性】
【００３５】
本考案は、スピーカ、アンプ、プリンタ、テレビ、複数の支持脚を有する支持台等の製品（物品）を梱包する業界で用いられる。
【符号の説明】
【００３６】
Ｘ…梱包箱、Ｙ…梱包用緩衝具、１、２１…物品、Ａ、Ｂ、Ｃ…大・中・小のサイズの異なる物品、１Ａ…物品の下端面、２１ａ…下部水平台、２２…支持脚、２…左右の外壁、３…前後の外壁、４…上端部、５…下端部、６…空隙部分、７…受入凹所、８…支持部、８ａ…水平受面、９…中央部、１０…左右の補強、１１…前後の補強、１２…小凹所、１５…収納凹所、１６…第２の補強リブ。
【図１】
0003168347.tif 000003
【図２】
0003168347.tif 000004
【図３】
0003168347.tif 000005
【図４】
0003168347.tif 000006
【図５】
0003168347.tif 000007
【図６】
0003168347.tif 000008
【図７】
0003168347.tif 000009
【図８】
0003168347.tif 000010
【図９】
0003168347.tif 000011
【図１０】
0003168347.tif 000012
【図１１】
0003168347.tif 000013
【図１２】
0003168347.tif 000014
【図１３】
0003168347.tif 000015
【図１４】
0003168347.tif 000016